(57)【要約】  コネクタ（１００）は、第１の内側シールドケーブル（６）の外周形状に沿う形状の第１の屈曲部（３１）、及び、第２の内側シールドケーブル（７）の外周形状に沿う形状の第２の屈曲部（３２）、を有する導電性の内側シールドケーブル把持部（３０）と、第１の内側シールドケーブル（６）及び第２の内側シールドケーブル（７）を通すための中空空間（４３ａ）、並びに、当該中空空間（４３ａ）を規定する内周面であって、第１の屈曲部（３１）の外周形状及び第２の屈曲部（３２）の外周形状に沿う形状の内周面、を有する導電性のクランプリングハウジング（４３）と、を備えている。
2021009833.tif 000002
【特許請求の範囲】
【請求項１】
第１のペアケーブル及び当該第１のペアケーブルを覆う第１の内側シールド導体を含む第１の内側シールドケーブルと、第２のペアケーブル及び当該第２のペアケーブルを覆う第２の内側シールド導体を含む第２の内側シールドケーブルと、当該第１の内側シールドケーブル及び当該第２の内側シールドケーブルを覆う外側シールド導体とを備えている二重シールドツイストペアケーブルに装着されるコネクタであって、
前記第１の内側シールドケーブルの外周形状に沿う形状の第１の屈曲部、及び、前記第２の内側シールドケーブルの外周形状に沿う形状の第２の屈曲部、を有する導電性の内側シールドケーブル把持部と、
前記第１の内側シールドケーブル及び前記第２の内側シールドケーブルを通すための中空空間、並びに、当該中空空間を規定する内周面であって、前記第１の屈曲部の外周形状及び前記第２の屈曲部の外周形状に沿う形状の内周面、を有する導電性のクランプリングハウジングと、を備えていることを特徴とする、コネクタ。
【請求項２】
前記内側シールドケーブル把持部は、板状の部材であり、前記第１の屈曲部が、前記第１の内側シールドケーブルの外周形状に沿うように、一方の面側に屈曲しており、前記第２の屈曲部が、前記第２の内側シールドケーブルの外周形状に沿うように、他方の面側に屈曲していることを特徴とする、請求項１に記載のコネクタ。
【請求項３】
雄ネジ部を有するコネクタ本体部をさらに備え、
前記クランプリングハウジングは、一方の端部に前記コネクタ本体部の前記雄ネジ部と締結される雌ネジ部を有する締結部が設置されており、
前記コネクタ本体部は、前記第１のペアケーブルの各心線及び前記第２のペアケーブルの各心線と接続するための心線接続部を備えていることを特徴とする、請求項１に記載のコネクタ。
【請求項４】
雌ネジ部を有するシーリングナットをさらに備え、
前記クランプリングハウジングは、他方の端部に前記シーリングナットの前記雌ネジ部と締結される雄ネジ部をさらに有し、
前記クランプリングハウジングの前記他方の端部の外周面には、前記第１の内側シールドケーブルと前記第２の内側シールドケーブルとが前記中空空間に通された状態で、前記二重シールドツイストペアケーブルから剥がされた前記外側シールド導体を引っ掛けるための外側シールド導体引掛部が設けられており、
前記シーリングナットの内周面には、前記シーリングナットの前記雌ネジ部と前記クランプリングハウジングの前記雄ネジ部とが締結された場合、前記外側シールド導体引掛部に引っ掛けられた前記外側シールド導体を前記外側シールド導体引掛部との間で挟むことにより把持するための外側シールド導体挟持部が設けられていることを特徴とする、請求項１に記載のコネクタ。
【請求項５】
前記外側シールド導体引掛部の形状は、テーパー形状であり、
前記外側シールド導体挟持部の形状は、前記外側シールド導体引掛部のテーパー形状に対応するテーパー形状であることを特徴とする、請求項４に記載のコネクタ。
【発明の詳細な説明】
【技術分野】
【０００１】
本発明は、二重シールドツイストペアケーブルに装着されるコネクタに関する。
【背景技術】
【０００２】
電磁ノイズの多い環境下における高速データ通信に適した信号伝送方式として、差動伝送方式がある。差動伝送方式に用いられる通信ケーブルとして、いわゆる二重シールドツイストペアケーブル（以下「二重ＳＴＰケーブル」という。）が知られている。二重ＳＴＰケーブルは、それぞれが内側シールド導体で覆われた複数のツイストペアケーブル（以下「内側シールドケーブル」という）と、複数の内側シールドケーブル全てを覆う外側シールド導体とを有する。二重ＳＴＰケーブルが各種機器と接続される場合、二重ＳＴＰケーブルの端部にコネクタが装着され、当該コネクタを介して各シールド導体が接地される。その際、内側シールド導体をコネクタと接続する方法として、従来、ワイヤの両端をそれぞれ内側シールド導体とコネクタにはんだ付けする方法、又は、内側シールド導体を構成する編組を解いて引き伸ばしたものをコネクタに噛み込ませる方法等が知られている。
ここで、１つの内側シールド層と１つの外側シールド層を有する同軸ケーブル用のコネクタとして、例えば特許文献１には、内側シールド層にかしめにより接続される中間導体と、外側シールド層にかしめにより接続される外部導体とを有するコネクタが開示されている。
【先行技術文献】
【特許文献】
【０００３】
【特許文献１】特開２０１３−１９１２７４号公報
【発明の概要】
【発明が解決しようとする課題】
【０００４】
二重ＳＴＰケーブルにコネクタを装着する場合、各シールド導体をその軸方向に略垂直な方向に切断した略円形の断面（以下、単に「断面」という。）において、当該断面の周囲とコネクタとの接続箇所が全周に近いほど、シールド効果が高くなる。しかし、従来の内部シールド導体とコネクタの接続方法は、いずれも、内部シールド導体の断面の周囲の一部のみをコネクタに接続するものであるため、十分なシールド効果を得ることができないという問題があった。特許文献１に記載されたような内側シールド層が１つのみである同軸ケーブル用のコネクタは、複数の内側シールド導体を有する二重ＳＴＰケーブルには適用できない。【０００５】
この発明は、上記のような問題点を解決するためになされたものであり、二重ＳＴＰケーブルとコネクタとの接続において、複数の内部シールド導体を、その各断面のほぼ全周に亘ってコネクタと接続することができる技術を提供することを目的とする。
【課題を解決するための手段】
【０００６】
この発明に係るコネクタは、第１のペアケーブル及び当該第１のペアケーブルを覆う第１の内側シールド導体を含む第１の内側シールドケーブルと、第２のペアケーブル及び当該第２のペアケーブルを覆う第２の内側シールド導体を含む第２の内側シールドケーブルと、当該第１の内側シールドケーブル及び当該第２の内側シールドケーブルを覆う外側シールド導体とを備えている二重シールドツイストペアケーブルに装着されるコネクタであって、第１の内側シールドケーブルの外周形状に沿う形状の第１の屈曲部、及び、第２の内側シールドケーブルの外周形状に沿う形状の第２の屈曲部、を有する導電性の内側シールドケーブル把持部と、第１の内側シールドケーブル及び第２の内側シールドケーブルを通すための中空空間、並びに、当該中空空間を規定する内周面であって、第１の屈曲部の外周形状及び第２の屈曲部の外周形状に沿う形状の内周面、を有する導電性のクランプリングハウジングとを備えている。
【発明の効果】
【０００７】
この発明によれば、二重ＳＴＰケーブルとコネクタとの接続において、複数の内部シールド導体を、その各断面のほぼ全周に亘ってコネクタと接続することができる。
【図面の簡単な説明】
【０００８】
【図１】実施の形態１に係るシールドケーブル用コネクタが装着されるシールドケーブルの構成を示す外観図である。
【図２】実施の形態１に係るシールドケーブル用コネクタの構成を示す分解図である。
【図３】実施の形態１に係るシールドケーブル用コネクタのコネクタ本体部の構成を示す外観図である。
【図４】実施の形態１に係るシールドケーブル用コネクタのコネクタ本体部の構成を示す部分断面図である。
【図５】実施の形態１に係るシールドケーブル用コネクタのシーリングナットの構成とクランプリングの構成とを示す外観図である。
【図６】実施の形態１に係るシールドケーブル用コネクタのクランプリングの構成を示す外観図である。
【図７】実施の形態１に係るシールドケーブル用コネクタのクランプリングの構成を示す断面図である。
【図８】実施の形態１に係るシールドケーブル用コネクタのシーリングナットの構成を示す外観図である。
【図９】実施の形態１に係るシールドケーブル用コネクタのシーリングナットの構成を示す断面図である。
【図１０】実施の形態１に係るシールドケーブル用コネクタの内側シールドケーブル把持部の構成を示す外観図である。
【図１１】図６又は図７に示すクランプリングを矢印Ａから見た図を示す。
【図１２】実施の形態１に係るシールドケーブル用コネクタのクランプリングの中空空間に内側シールドケーブル把持部を設置する直前を示す外観図を示す。
【図１３】図１１に示すクランプリングの中空空間に内側シールドケーブル把持部が設置された図を示す。
【図１４】実施の形態１に係るシールドケーブル用コネクタをシールドケーブルに装着する方法を説明するための図である。
【図１５】実施の形態１に係るシールドケーブル用コネクタにおける第１の内側シールドケーブルと第２の内側シールドケーブルとが取り付けられた内側シールドケーブル把持部を拡大した図である。
【図１６】実施の形態１に係るシールドケーブル用コネクタにおける中空空間に第１の内側シールドケーブル及び第２の内側シールドケーブルがそれぞれ挿入されたクランプリングの断面図を示す。
【発明を実施するための形態】
【０００９】
近年、工場内又は車両内などの電磁ノイズの多い環境下において高速なデータ通信を実現する方法として、差動伝送方式の採用が進んでいる。
差動伝送方式とは、送信側の差動ドライバと受信側の差動レシーバとの間において、互いに逆相で振幅の等しい正位相の信号と逆位相の信号とで構成される差動信号を、１ペアの導線で構成される２本の配線を通じて伝送する方式である。この方式は、導線１本あたりの電圧振幅が低くなることから、立ち上がり時間を早くできるため、高速なデータ伝送に適している。
【００１０】
一般的な差動伝送では、導線を絶縁体で被覆した２本の絶縁電線を撚り合せて対にしたツイストペアケーブルがよく用いられる。ツイストペアケーブルは、安価且つ曲げも容易であり、他のペアケーブルよりも対地平衡度が高いことから、外来ノイズに強いだけでなく、信号の不要放射を少なくできるという特徴を持つため、広く使われている。
しかし、工場内又は車両内などの電磁ノイズの多い環境下では、より一層、ケーブル内外を電気的に隔離する必要があるため、ツイストペアケーブルの外側にシールド導体（以下、外側シールド導体）を付けた、いわゆる二重シールドツイストペア（以下、ＳＴＰ：Ｓｈｉｅｌｄｅｄ  Ｔｗｉｓｔｅｄ  Ｐａｉｒ）ケーブルが用いられる。
【００１１】
このＳＴＰケーブルは、例えば、送信用の差動伝送を行う１対のツイストペアケーブルと、受信用の差動伝送を行う１対のツイストペアケーブルを束ねた、２組のツイストペアケーブルで構成される。つまり、ＳＴＰケーブルは、合計４本の心線を有する。一般的に、ＳＴＰケーブルでは、当該４本の心線全体をシールドで覆う構造が採用されることが多い。また、１対のツイストペアケーブルを４組束ねたＳＴＰケーブルでは、合計８本の心線全体をシールドで覆う構造が採用される場合もある。
だが、このように、例えば、送信信号と受信信号のような異なる信号をそれぞれ伝送する複数のツイストペアケーブルを束ねてしまうと、ツイストペアケーブル同士が近接することで、クロストークを引き起こしてしまうため、信号波形が乱されてしまい、高速な信号伝送が行えないという問題があった。
【００１２】
このため、差動伝送のさらなる高速化を狙い、ツイストペアケーブルごとにシールド導体（以下、内側シールド導体）で覆うことにより、複数の内側シールドケーブルを構成し、さらに、当該複数の内側シールドケーブルを束ねたものを外側シールド導体で覆う構造とする二重ＳＴＰケーブルが開発された。この二重ＳＴＰケーブルを用いれば、ツイストペアケーブル間のクロストークが起こらないように内側シールド導体で電気的結合を遮へいできるだけでなく、二重ＳＴＰケーブルの外部とは外側シールド導体によって電気的に隔離することができる。
【００１３】
しかし、二重ＳＴＰケーブルの内側シールド導体と外側シールド導体とをそれぞれ、グラウンドに接地しなければ、各シールド導体に誘起される電荷を逃がすことができず、電気的なシールドとしての効果を発揮することができない。このため、一般的には、二重ＳＴＰケーブルの内側シールド導体及び外側シールド導体は、それぞれ、コネクタを介して金属筐体等に接続することにより接地されることが多い。
【００１４】
しかし、上述のように、複数の内側シールド導体は、それぞれ、はんだ付けが行われるか、又は、各編組若しくは各導体巻線が解かれるなどの加工が行われた上で接地されることが一般的である。そのため、複数の内側シールド導体は、当該加工に基づくコネクタとの接続不良により、十分に接地されない可能性がある。
上記のような問題を解決するために、実施の形態１に係るシールドケーブル用コネクタは、内側シールドケーブルを把持する内側シールドケーブル把持部を備えている。
【００１５】
以下、この発明をより詳細に説明するため、この発明を実施するための形態について、添付の図面に従って説明する。
実施の形態１．
図１は、実施の形態１に係るコネクタ１００が装着される二重ＳＴＰケーブル１の構成を示す外観図である。図１が示すように、二重ＳＴＰケーブル１は、第１のペアケーブル２及び当該第１のペアケーブル２を覆う第１の内側シールド導体４を含む第１の内側シールドケーブル６と、第２のペアケーブル３及び当該第２のペアケーブル３を覆う第２の内側シールド導体５を含む第２の内側シールドケーブル７とを備えている。
【００１６】
第１のペアケーブル２の各ケーブルと第２のペアケーブル３の各ケーブルとは、ケーブル内部の中心に心線８を備えている。また、二重ＳＴＰケーブル１は、第１の内側シールドケーブル６及び第２の内側シールドケーブル７を覆う外側シールド導体９をさらに備えている。また、外側シールド導体９は、絶縁被覆１０により覆われている。
【００１７】
第１のペアケーブル２及び第２のペアケーブル３は、それぞれ、ツイストペアケーブルである。しかし、二重ＳＴＰケーブル１は、外側シールド導体と複数の内側シールド導体とを備えていればよく、二重ＳＴＰケーブルに限定されない。また、第１のペアケーブル２及び第２のペアケーブル３は、ツイストペアケーブルに限定されず、それぞれ、別の種類のペアケーブルであってもよい。
第１の内側シールド導体４、第２の内側シールド導体５、及び外側シールド導体９は、それぞれ、例えば、導電性が高い銅等の金属で形成されているシールド素線が網目状に組まれることにより構成される。
【００１８】
第１の内側シールド導体４は、第１のペアケーブル２を包囲することにより、外部から第１のペアケーブル２に流入する電磁ノイズを遮蔽し、且つ、第１のペアケーブル２から外部に漏洩する電磁ノイズを遮蔽する。
第２の内側シールド導体５は、第２のペアケーブル３を包囲することにより、外部から第２のペアケーブル３に流入する電磁ノイズを遮蔽し、且つ、第２のペアケーブル３から外部に漏洩する電磁ノイズを遮蔽する。
【００１９】
外側シールド導体９は、第１の内側シールドケーブル６及び第２の内側シールドケーブル７を包囲することにより、外部から第１の内側シールドケーブル６及び第２の内側シールドケーブル７にそれぞれ流入する電磁ノイズを遮蔽し、且つ、第１の内側シールドケーブル６及び第２の内側シールドケーブル７からそれぞれ外部に漏洩する電磁ノイズを遮蔽する。
【００２０】
次に、実施の形態１に係るコネクタ１００について図面を参照して説明する。図２は、実施の形態１に係るコネクタ１００の構成を示す分解図である。図２が示すように、コネクタ１００は、コネクタ本体部２０、内側シールドケーブル把持部３０、クランプリング４０及びシーリングナット５０を備えている。コネクタ本体部２０は、第１の雄ネジ部２１を有する。クランプリング４０は、一方の端部にコネクタ本体部２０の第１の雄ネジ部２１と締結される雌ネジ部４１を有し、他方の端部に雄ネジ部４２を有する。シーリングナット５０は、クランプリング４０の雄ネジ部４２に締結される雌ネジ部５１を有する。詳細については後述するが、内側シールドケーブル把持部３０は、クランプリング４０の内部に設置される。
【００２１】
まず、コネクタ本体部２０の構成について図面を参照して説明する。図３は、コネクタ本体部２０の構成を示す外観図である。図４は、コネクタ本体部２０の構成を示す部分断面図である。図２、図３又は図４が示すように、コネクタ本体部２０は、同軸上に並んだ心線接続部２２及びコネクタハウジング２３を備えている。コネクタハウジング２３は、クランプリング４０側の一方の端部の外周面に第１の雄ネジ部２１を有し、他方の端部の外周面に第２の雄ネジ部２４を有している。コネクタハウジング２３の材料は、金属等の導電体であり、一方の端部から他方の端部まで電気的に接続されている。
【００２２】
心線接続部２２は、第１のペアケーブル２の心線８及び第２のペアケーブル３の心線８と接続するための部材である。より詳細には、心線接続部２２は、円柱状の形状を有し、クランプリング４０側の底面に心線差し込み孔２２ａを有する。心線差し込み孔２２ａの内部には、心線受け導体２５が設置されている。また、心線接続部２２は、側面に、心線差し込み孔２２ａに連結している心線ネジ留め孔２２ｂを有する。心線ネジ留め孔２２ｂの内部には、心線留めネジ２６が設置されている。心線接続部２２の材料は、例えば、樹脂である。
【００２３】
第１のペアケーブル２又は第２のペアケーブル３の心線８は、心線差し込み孔２２ａに差し込まれることにより、心線受け導体２５と電気的に接触する。この状態で、心線留めネジ２６を回し、心線受け導体２５側に移動させることにより、心線８が、心線留めネジ２６と心線受け導体２５との間に挟まれ、固定される。
【００２４】
コネクタハウジング２３の内部の空洞には、充填剤２７及び樹脂部２８が設置されている。充填剤２７は、絶縁体である。充填剤２７の内部では、上述の心線受け導体２５から延伸するコネクタピン２９が貫通している。コネクタピン２９は、充填剤２７によってコネクタハウジング２３と接触しないように固定されている。これにより、コネクタハウジング２３とコネクタピン２９とは、電気的に絶縁されている。
【００２５】
樹脂部２８は、４つの貫通孔２８ａを有し、各貫通孔２８ａには、充填剤２７を貫通したコネクタピン２９の先端が挿入されている。コネクタハウジング２３の第２の雄ネジ部２４は、図示しない電子機器の雌ネジ部に締結されることにより、当該電子機器の筐体と電気的に接続される。例えば、電子機器の筐体は接地されており、これにより、コネクタハウジング２３は、電子機器の筐体を介して、電気的に接地される。また、このとき、コネクタピン２９は、当該電子機器のコネクタに接続される。これにより、第１のペアケーブル２又は第２のペアケーブル３の心線８は、コネクタピン２９及び心線受け導体２５を介して、当該電子機器のコネクタと電気的に接続される。
【００２６】
なお、実施の形態１に係るコネクタ本体部２０は、心線接続部２２の４つの心線差し込み孔２２ａ、４つの心線受け導体２５、４つの心線ネジ留め孔２２ｂ及び４つの心線留めネジ２６、樹脂部２８の４つの貫通孔２８ａ並びに４つのコネクタピン２９を備えているが、これらの各部材の数は、４つに限定されない。コネクタ本体部２０は、装着されるシールドケーブルにおけるペアケーブルの心線の数に応じた数の分、これらの各部を備え得る。
【００２７】
次に、シーリングナット５０の構成とクランプリング４０の構成とについて図面を参照して説明する。図５は、シーリングナット５０の構成とクランプリング４０の構成とを示す外観図である。図６は、クランプリング４０の構成を示す外観図である。図７は、クランプリング４０の構成を示す断面図である。
【００２８】
まず、クランプリング４０の構成について説明する。図５、図６又は図７が示すように、クランプリング４０は、複数の異なる形の円筒が合わさった形状を有している。クランプリング４０は、二重ＳＴＰケーブル１が内部を通るように、二重ＳＴＰケーブル１の外径よりも大きい寸法の内径を有する。クランプリング４０は、同軸上に並んだクランプリングハウジング４３及び締結部４４を備えている。クランプリングハウジング４３は、外周面が締結部４４の内周面と嵌合しており、締結部４４を回転自在に支持している。また、クランプリングハウジング４３の外周面と締結部４４の内周面とが嵌合している部分には、隙間が設けられており、締結部４４は、嵌合しているクランプリングハウジング４３に対して、軸方向に沿って、当該隙間の長さ分、移動可能である。
【００２９】
締結部４４は、コネクタ本体部２０側の端部における内壁に、雌ネジ部４１を有している。締結部４４の内側に、コネクタ本体部２０を心線接続部２２側から差し込み、締結部４４をコネクタ本体部２０側に移動させ、回転させることにより、締結部４４の雌ネジ部４１と、コネクタハウジング２３の第１の雄ネジ部２１とを締結することができる。
【００３０】
クランプリングハウジング４３は、第１の内側シールドケーブル６と第２の内側シールドケーブル７とを、シーリングナット５０側の他方の端部からコネクタ本体部２０側の一方の端部まで通すための中空空間４３ａを有する。また、当該中空空間４３ａにおけるコネクタ本体部２０側の部分には、クランプリングハウジング４３の内径がコネクタ本体部２０の心線接続部２２の外径よりも大きく構成されていることにより、コネクタ本体部２０を格納するためのコネクタ本体格納部４３ｂが形成されている。
【００３１】
また、コネクタ本体格納部４３ｂに隣接する、クランプリングハウジング４３の内周面には、内側シールドケーブル把持部３０が設置されるための第１の溝４３ｃ及び第２の溝４３ｄがそれぞれ設けられている。内側シールドケーブル把持部３０の構成については後述する。
【００３２】
また、クランプリングハウジング４３におけるシーリングナット５０側の端部の外周面には、第１の内側シールドケーブル６と第２の内側シールドケーブル７とが中空空間４３ａに通された状態で、二重ＳＴＰケーブル１から剥がされた外側シールド導体９を引っ掛けるための外側シールド導体引掛部４５が設けられている。より詳細には、外側シールド導体引掛部４５の形状は、テーパー形状である。当該テーパー形状は、シーリングナット５０側に向かって、クランプリングハウジング４３の外周が徐々に短くなる形状として構成されている。
また、クランプリングハウジング４３の外周面における外側シールド導体引掛部４５に隣接する部分には、上述の雄ネジ部４２が設けられている。
【００３３】
次に、シーリングナット５０の構成について説明する。図８は、シーリングナット５０の構成を示す外観図である。図９は、シーリングナット５０の構成を示す断面図である。図５、図８又は図９が示すように、シーリングナット５０は、円筒状の形状を有している。シーリングナット５０は、二重ＳＴＰケーブル１が内部を通ることができるように、二重ＳＴＰケーブル１の外径よりも大きい寸法の内径を有する。また、シーリングナット５０の内周面には、上述の雌ネジ部５１が設けられている。
【００３４】
また、シーリングナット５０の内周面における雌ネジ部５１に隣接する部分には、シーリングナット５０の雌ネジ部５１とクランプリング４０の雄ネジ部４２とが締結された場合、外側シールド導体引掛部４５に引っ掛けられた外側シールド導体９を外側シールド導体引掛部４５との間で挟むことにより把持するための外側シールド導体挟持部５２が設けられている。より詳細には、外側シールド導体挟持部５２の形状は、外側シールド導体引掛部４５のテーパー形状に対応するテーパー形状である。シーリングナット５０のテーパー形状は、クランプリング４０側に向かって、シーリングナット５０の内周が徐々に長くなる形状として構成されている。
【００３５】
次に、内側シールドケーブル把持部３０の構成について図面を参照して説明する。図１０は、内側シールドケーブル把持部３０の構成を示す外観図である。内側シールドケーブル把持部３０は、上述のクランプリングハウジング４３の内周面に設置され、中空空間４３ａに通された第１の内側シールドケーブル６と第２の内側シールドケーブル７とを把持するための部材である。
【００３６】
図１０が示すように、内側シールドケーブル把持部３０は、第１の内側シールドケーブル６の外周形状に沿った形状の第１の屈曲部３１と、第２の内側シールドケーブル７の外周形状に沿った形状の第２の屈曲部３２とを有する。例えば、内側シールドケーブル把持部３０の第１の屈曲部３１は、板状の部材の一端部を、第１の内側シールドケーブル６の外周形状に沿うように一方の面側に折り曲げることにより形成される。また、第２の屈曲部３２は、上記の板状の部材の他端部を、第２の内側シールドケーブル７の外周形状に沿うように、他方の面側に折り曲げることにより形成される。これにより、内側シールドケーブル把持部３０は、Ｓの字の形状を有する。なお、内側シールドケーブル把持部３０は、第１の屈曲部３１が第１の内側シールドケーブル６の外周に密着し、第２の屈曲部３２が第２の内側シールドケーブル７の外周に密着するように、弾性を有することが好ましい。
【００３７】
次に、内側シールドケーブル把持部３０の設置について図面を参照してより詳細に説明する。図１１は、上述の図６又は図７に示すクランプリング４０を矢印Ａから見た図を示す。図１２は、クランプリング４０の中空空間４３ａに内側シールドケーブル把持部３０を設置する直前を示す外観図を示す。図１３は、図１１に示すクランプリング４０の中空空間４３ａに内側シールドケーブル把持部３０が設置された図を示す。なお、図１２及び図１３では、説明のため、内側シールドケーブル把持部３０とその周辺をそれぞれ通常より拡大して示す。
【００３８】
図１１、図１２又は図１３が示すように、クランプリング４０のクランプリングハウジング４３の内周面には、内側シールドケーブル把持部３０が設置されるための第１の溝４３ｃ及び第２の溝４３ｄがそれぞれ設けられている。クランプリング４０のクランプリングハウジング４３の内周面において、第１の溝４３ｃは、第２の溝４３ｄに対向する位置に設けられている。
【００３９】
第１の溝４３ｃは、内側シールドケーブル把持部３０の第１の屈曲部３１の外周形状に沿う形状を有している。第２の溝４３ｄは、内側シールドケーブル把持部３０の第２の屈曲部３２の外周形状に沿う形状を有している。より詳細には、内側シールドケーブル把持部３０の第１の屈曲部３１における外周面は、曲面であり、第１の溝４３ｃは、当該曲面の形状に沿う形状を有している。内側シールドケーブル把持部３０の第２の屈曲部３２における外周面は、曲面であり、第２の溝４３ｄは、当該曲面の形状に沿う形状を有している。
【００４０】
内側シールドケーブル把持部３０は、クランプリング４０におけるコネクタ本体部２０側の開口部から挿入される。そして、内側シールドケーブル把持部３０は、第１の屈曲部３１における外周面が第１の溝４３ｃに嵌合し、且つ、第２の屈曲部３２における外周面が第２の溝４３ｄに嵌合することにより、クランプリングハウジング４３の内周面に設置される。これにより、内側シールドケーブル把持部３０とクランプリング４０とは、電気的に接続される。また、第１の溝４３ｃが第１の屈曲部３１の外周形状に沿う形状を有し、第２の溝４３ｄが第２の屈曲部３２の外周形状に沿う形状を有しているため、内側シールドケーブル把持部３０とクランプリング４０との接触面積を比較的広くすることができる。
【００４１】
また、第１の溝４３ｃに隣接する部分には、第１の溝４３ｃと同様の溝が設けられており、当該溝に対向する部分であり且つ第２の溝４３ｄに隣接する部分には、第１の溝４３ｃと同様の別の溝が設けられている。このように、クランプリングハウジング４３の内周面の全周にわたって、内側シールドケーブル把持部３０が設置されるための溝が設けられていることにより、クランプリングハウジング４３の中空空間４３ａにおいて、第１の内側シールドケーブル６及び第２の内側シールドケーブル７の配置に応じて、内側シールドケーブル把持部３０の配置を変更することができる。
【００４２】
次に、二重ＳＴＰケーブル１にコネクタ１００を装着する方法について図面を参照して説明する。図１４は、二重ＳＴＰケーブル１にコネクタ１００を装着する方法を説明するための図である。なお、図１４では、説明のために、第１の内側シールドケーブル６及び第２の内側シールドケーブル７をそれぞれクランプリング４０側からコネクタ本体部２０側に引き伸ばした状態を示す。まず、二重ＳＴＰケーブル１の絶縁被覆１０は、二重ＳＴＰケーブル１の端部から、コネクタ本体部２０とクランプリング４０とが締結され且つクランプリング４０とシーリングナット５０とが締結された場合のコネクタ１００の軸方向の長さ寸法と同程度の長さの分、切断されることにより剥がされる。
【００４３】
次に、絶縁被覆１０が剥がされた二重ＳＴＰケーブル１の外側シールド導体９は、二重ＳＴＰケーブル１の端部から、コネクタ本体部２０とクランプリング４０とを締結した場合におけるコネクタ本体部２０の心線接続部２２からクランプリング４０の外側シールド導体引掛部４５の手前までの長さの分、切断されることにより剥がされる。
【００４４】
次に、シーリングナット５０は、当該二重ＳＴＰケーブル１の端部から、絶縁被覆１０の位置まで通される。次に、クランプリング４０は、当該二重ＳＴＰケーブル１の端部から、絶縁被覆１０が存在する位置まで通される。
【００４５】
次に、露出した第１の内側シールドケーブル６の第１の内側シールド導体４及び第２の内側シールドケーブル７の第２の内側シールド導体５は、各内側シールドケーブルの端部から、心線８がコネクタ本体部２０の心線接続部２２の心線差し込み孔２２ａに差し込まれる長さに応じた長さの分、切断されることにより取り除かれる。
【００４６】
次に、第１の内側シールドケーブル６の端部と第２の内側シールドケーブル７の端部とに内側シールドケーブル把持部３０が取り付けられる。図１５は、第１の内側シールドケーブル６と第２の内側シールドケーブル７とが取り付けられた内側シールドケーブル把持部３０を示す図である。なお、図１５では、説明のため、第１の内側シールドケーブル６、第２の内側シールドケーブル７及び内側シールドケーブル把持部３０をそれぞれ通常より拡大して示す。図１５が示すように、第１の内側シールドケーブル６と第２の内側シールドケーブル７とは、第１の内側シールドケーブル６の外周面が第１の屈曲部３１により覆われ且つ第２の内側シールドケーブル７の外周面が第２の屈曲部３２により覆われるように、内側シールドケーブル把持部３０に取り付けられる。これにより、第１の内側シールド導体４及び第２の内側シールド導体５と内側シールドケーブル把持部３０とは、電気的に接続される。
【００４７】
次に、第１のペアケーブル２又は第２のペアケーブル３の心線８は、コネクタ本体部２０の心線接続部２２の心線差し込み孔２２ａに挿入され、心線ネジ留め孔２２ｂ内部の心線留めネジ２６が回されることにより、心線留めネジ２６と心線受け導体２５との間に挟まれ、固定される。
【００４８】
次に、クランプリング４０は、心線８が接続されたコネクタ本体部２０側に引き戻され、クランプリング４０の締結部４４が回されることにより、締結部４４の雌ネジ部４１とコネクタハウジング２３の第１の雄ネジ部２１とが締結される。これにより、クランプリング４０とコネクタ本体部２０とは締結される。
【００４９】
次に、二重ＳＴＰケーブル１から剥がされた外側シールド導体９は、クランプリングハウジング４３の外側シールド導体引掛部４５に引っ掛けられる。より詳細には、外側シールド導体９は、外側シールド導体引掛部４５の全周にわたって外側シールド導体引掛部４５を包み込むように外側シールド導体引掛部４５に被せられる。
【００５０】
次に、シーリングナット５０は、外側シールド導体９が引掛けられたクランプリング４０側に引き戻され、シーリングナット５０が回されることにより、シーリングナット５０の雌ネジ部５１とクランプリング４０の雄ネジ部４２とが締結される。これにより、シーリングナット５０とクランプリング４０とは締結される。また、外側シールド導体９は、シーリングナット５０の外側シールド導体挟持部５２とクランプリングハウジング４３の外側シールド導体引掛部４５との間に挟まれることにより把持される。
【００５１】
図１６は、中空空間４３ａに第１の内側シールドケーブル６及び第２の内側シールドケーブル７がそれぞれ挿入されたクランプリング４０の断面図を示す。なお、図１６では、説明のため、第１の内側シールドケーブル６、第２の内側シールドケーブル７及びそれらの周辺をそれぞれ通常より拡大して示す。図１６が示すように、内側シールドケーブル把持部３０の第１の屈曲部３１の内周面は、第１の内側シールドケーブル６の断面の略全周にわたって第１の内側シールド導体４と接触する。且つ、内側シールドケーブル把持部３０の第２の屈曲部３２の内周面は、第２の内側シールドケーブル７の断面の略全周にわたって第２の内側シールド導体５と接触している。
【００５２】
また、内側シールドケーブル把持部３０の第１の屈曲部３１における外周面が第１の溝４３ｃに嵌合し、且つ、内側シールドケーブル把持部３０の第２の屈曲部３２における外周面が第２の溝４３ｄに嵌合している。これにより、第１の内側シールド導体４及び第２の内側シールド導体５は、それぞれ、内側シールドケーブル把持部３０とクランプリングハウジング４３と締結部４４とコネクタハウジング２３とを介して、コネクタハウジング２３の第２の雄ネジ部２４に接続される電子機器の筐体に電気的に接続される。これにより、第１の内側シールド導体４及び第２の内側シールド導体５は接地される。
【００５３】
上記のように、第１の内側シールド導体４及び第２の内側シールド導体５は、その各断面のほぼ全周に亘ってコネクタ１００と接続される。上述のように、シールド導体の断面の周囲とコネクタとの接続箇所が全周に近いほど、シールド効果が高くなるため、二重ＳＴＰケーブル１及びコネクタ１００を含むシステム全体の電気的なシールド効果を高めることが可能となる。
【００５４】
また、外側シールド導体挟持部５２と外側シールド導体引掛部４５との間に挟まれることにより把持された外側シールド導体９は、クランプリングハウジング４３と締結部４４とコネクタハウジング２３とを介して、コネクタハウジング２３の第２の雄ネジ部２４に接続される電子機器の筐体に電気的に接続される。これにより、外側シールド導体挟持部５２は接地される。
【００５５】
上記のように、外側シールド導体９は、外側シールド導体挟持部５２と外側シールド導体引掛部４５との間に挟まれることにより、その断面のほぼ全周に亘ってコネクタ１００と接続される。上述のように、シールド導体の断面の周囲とコネクタとの接続箇所が全周に近いほど、シールド効果が高くなるため、二重ＳＴＰケーブル１及びコネクタ１００を含むシステム全体の電気的なシールド効果を高めることが可能となる。
【００５６】
なお、実施の形態１では、第１の内側シールドケーブル６と第２の内側シールドケーブル７の２つの内側シールドケーブルを備えている二重ＳＴＰケーブル１に装着されるコネクタ１００について説明した。しかし、この発明は、３つ以上の内側シールドケーブルを備えている二重ＳＴＰケーブル１にも適用可能である。その場合、コネクタ１００は、クランプリングハウジング４３の内周面に、中空空間４３ａに通された３つ以上の内側シールドケーブルを把持するための内側シールドケーブル把持部を備えている。例えば、内側シールドケーブルが４つである場合、当該内側シールドケーブル把持部は、さらに、第３の屈曲部及び第４の屈曲部を備えている。第３の屈曲部は、第３の内側シールドケーブルの外周形状に沿った形状を有し、第４の屈曲部は、第４の内側シールドケーブルの外周形状に沿った形状を有する。第３の屈曲部は、一方の面側に折り曲げられた第１の屈曲部３１の端部から延伸する部分が、第３の内側シールドケーブルの外周を覆うように他方の面側にさらに折り曲げられることにより形成される。また、第４の屈曲部は、他方の面側に折り曲げられた第２の屈曲部３２の端部から延伸する部分が、第４の内側シールドケーブルの外周を覆うように一方の面側にさらに折り曲げられることにより形成される。
【００５７】
または、例えば、コネクタ１００は、クランプリングハウジング４３の内周面に、中空空間４３ａに通された３つ以上の内側シールドケーブルを把持するために、上述の内側シールドケーブル把持部３０を２つ以上備えていてもよい。例えば、内側シールドケーブルが４つである場合、２つの内側シールドケーブル把持部３０のうちの第１の内側シールドケーブル把持部は、第１の屈曲部が、第１の内側シールドケーブルの外周形状に沿った形状を有し、第２の屈曲部が、第２の内側シールドケーブルの外周形状に沿った形状を有する。第２の内側シールドケーブル把持部は、第１の屈曲部が、第３の内側シールドケーブルの外周形状に沿った形状を有し、第２の屈曲部が、第４の内側シールドケーブルの外周形状に沿った形状を有する。
【００５８】
以上のように、実施の形態１に係るコネクタ１００は、第１のペアケーブル２及び当該第１のペアケーブル２を覆う第１の内側シールド導体４を含む第１の内側シールドケーブル６と、第２のペアケーブル３及び当該第２のペアケーブル３を覆う第２の内側シールド導体５を含む第２の内側シールドケーブル７と、当該第１の内側シールドケーブル６及び当該第２の内側シールドケーブル７を覆う外側シールド導体９とを備えている二重シールドツイストペアケーブル１に装着されるコネクタ１００であって、第１の内側シールドケーブル６の外周形状に沿う形状の第１の屈曲部３１、及び、第２の内側シールドケーブル７の外周形状に沿う形状の第２の屈曲部３２、を有する導電性の内側シールドケーブル把持部３０と、第１の内側シールドケーブル６及び第２の内側シールドケーブル７を通すための中空空間４３ａ、並びに、当該中空空間４３ａを規定する内周面であって、第１の屈曲部３１の外周形状及び第２の屈曲部３２の外周形状に沿う形状の内周面、を有する導電性のクランプリングハウジング４３と、を備えている。
【００５９】
上記の構成によれば、クランプリングハウジング４３の内周面に、第１の内側シールドケーブル６の外周形状に沿う形状の第１の屈曲部３１と第２の内側シールドケーブル７の外周形状に沿う形状の第２の屈曲部３２とを有する内側シールドケーブル把持部３０が設置されている。これにより、第１の内側シールド導体４及び第２の内側シールド導体５を、その各断面のほぼ全周に亘ってコネクタ１００と接続することができる。
上述のように、シールド導体の断面の周囲とコネクタとの接続箇所が全周に近いほど、シールド効果が高くなるため、第１の内側シールド導体４及び第２の内側シールド導体５が接地されるようにコネクタ１００を接地した場合、二重ＳＴＰケーブル１及びコネクタ１００を含むシステム全体の電気的なシールド効果を高めることが可能となる。
【００６０】
また、実施の形態１に係るコネクタ１００は、内側シールドケーブル把持部３０は、板状の部材であり、第１の屈曲部３１が、第１の内側シールドケーブル６の外周形状に沿うように、一方の面側に屈曲しており、第２の屈曲部３２が、第２の内側シールドケーブル７の外周形状に沿うように、他方の面側に屈曲している
【００６１】
上記の構成によれば、単純な構造で、第１の内側シールド導体４及び第２の内側シールド導体５を、その各断面のほぼ全周に亘ってコネクタ１００と接続することができる。これにより、第１の内側シールド導体４及び第２の内側シールド導体５が接地されるようにコネクタ１００を接地した場合、二重ＳＴＰケーブル１及びコネクタ１００を含むシステム全体の電気的なシールド効果を高めることが可能となる。
【００６２】
また、実施の形態１に係るコネクタ１００は、雄ネジ部２１を有するコネクタ本体部２０をさらに備え、クランプリングハウジング４３は、一方の端部にコネクタ本体部２０の雄ネジ部２１と締結される雌ネジ部４１を有する締結部４４が設置されており、コネクタ本体部２０は、第１のペアケーブル２の各心線８及び第２のペアケーブル３の各心線８と接続するための心線接続部２２を備えている。
【００６３】
上記の構成によれば、コネクタ本体部２０の心線接続部２２に各心線８が接続された第１の内側シールドケーブル６と第２の内側シールドケーブル７とが、クランプリングハウジング４３の中空空間４３ａにおいて、内側シールドケーブル把持部３０によって把持される。これにより、第１の内側シールド導体４及び第２の内側シールド導体５が、その各断面のほぼ全周に亘ってコネクタ１００と接続した状態で、コネクタ本体部２０に接続される電子機器と、各心線８を介して信号を送受信できる。
【００６４】
また、実施の形態１に係るコネクタ１００は、雌ネジ部５１を有するシーリングナット５０をさらに備え、クランプリングハウジング４３は、他方の端部にシーリングナット５０の雌ネジ部５１と締結される雄ネジ部４２をさらに有し、クランプリングハウジング４３の他方の端部の外周面には、第１の内側シールドケーブル６と第２の内側シールドケーブル７とが中空空間４３ａに通された状態で、二重ＳＴＰケーブル１から剥がされた外側シールド導体９を引っ掛けるための外側シールド導体引掛部４５が設けられており、シーリングナット５０の内周面には、シーリングナット５０の雌ネジ部５１とクランプリングハウジング４３の雄ネジ部４２とが締結された場合、外側シールド導体引掛部４５に引っ掛けられた外側シールド導体９を外側シールド導体引掛部４５との間で挟むことにより把持するための外側シールド導体挟持部５２が設けられている。
【００６５】
上記の構成によれば、外側シールド導体９は、外側シールド導体挟持部５２と外側シールド導体引掛部４５との間に挟まれることにより把持される。これにより、外側シールド導体９を、その断面のほぼ全周に亘ってコネクタ１００と接続することができる。
上述のように、シールド導体の断面の周囲とコネクタとの接続箇所が全周に近いほど、シールド効果が高くなるため、外側シールド導体９が接地されるようにコネクタ１００を接地した場合、二重ＳＴＰケーブル１及びコネクタ１００を含むシステム全体の電気的なシールド効果を高めることが可能となる。
【００６６】
また、実施の形態１に係るコネクタ１００は、前記外側シールド導体引掛部の形状は、テーパー形状であり、前記外側シールド導体挟持部の形状は、前記外側シールド導体引掛部のテーパー形状に対応するテーパー形状である。
【００６７】
上記の構成によれば、単純な構造で、外側シールド導体９を、その断面のほぼ全周に亘ってコネクタ１００と接続することができる。これにより、外側シールド導体９が接地されるようにコネクタ１００を接地した場合、二重ＳＴＰケーブル１及びコネクタ１００を含むシステム全体の電気的なシールド効果を高めることが可能となる。
なお、本願発明はその発明の範囲内において、実施の形態の任意の構成要素の変形、もしくは実施の形態の任意の構成要素の省略が可能である。
【産業上の利用可能性】
【００６８】
この発明に係るシールドケーブル用コネクタは、二重ＳＴＰケーブルとコネクタとの接続において、複数の内部シールド導体を、その各断面のほぼ全周に亘ってコネクタと接続することができるため、二重シールドツイストペアケーブルに装着されるコネクタに利用可能である。
【符号の説明】
【００６９】
１  二重ＳＴＰケーブル、２  第１のペアケーブル、３  第２のペアケーブル、４  第１の内側シールド導体、５  第２の内側シールド導体、６  第１の内側シールドケーブル、７  第２の内側シールドケーブル、８  心線、９  外側シールド導体、１０  絶縁被覆、２０  コネクタ本体部、２１  第１の雄ネジ部、２２  心線接続部、２２ａ  心線差し込み孔、２２ｂ  心線ネジ留め孔、２３  コネクタハウジング、２４  第２の雄ネジ部、２５  心線受け導体、２６  心線留めネジ、２７  充填剤、２８  樹脂部、２８ａ  貫通孔、２９  コネクタピン、３０  内側シールドケーブル把持部、３１  第１の屈曲部、３２  第２の屈曲部、４０  クランプリング、４１  雌ネジ部、４２  雄ネジ部、４３  クランプリングハウジング、４３ａ  中空空間、４３ｂ  コネクタ本体格納部、４３ｃ  第１の溝、４３ｄ  第２の溝、４４  締結部、４５  外側シールド導体引掛部、５０  シーリングナット、５１  雌ネジ部、５２  外側シールド導体挟持部、１００  コネクタ。
【図１】
2021009833.tif 000003
【図２】
2021009833.tif 000004
【図３】
2021009833.tif 000005
【図４】
2021009833.tif 000006
【図５】
2021009833.tif 000007
【図６】
2021009833.tif 000008
【図７】
2021009833.tif 000009
【図８】
2021009833.tif 000010
【図９】
2021009833.tif 000011
【図１０】
2021009833.tif 000012
【図１１】
2021009833.tif 000013
【図１２】
2021009833.tif 000014
【図１３】
2021009833.tif 000015
【図１４】
2021009833.tif 000016
【図１５】
2021009833.tif 000017
【図１６】
2021009833.tif 000018
【国際調査報告】
2021009833.tif 000019
2021009833.tif 000020
2021009833.tif 000021
2021009833.tif 000022